(57)【要約】【課題】折り畳みが可能であると共に、投射された映像を視認し易いスクリーンを提供する。【解決手段】スクリーン１は、スクリーン生地部２と、スクリーン生地部２の外縁に沿って設けられ、スクリーン生地部２の平面性を保持して支持するためのスクリーン枠部３と、を備えていて、スクリーン枠部３には、所定の長さを空けて配置された複数の枠部材と、複数の枠部材を連結し、スクリーン生地部２を平面性の保持された平面に展開する連結枠と、が設けられている。【選択図】図２
2009168881.tif 000002
【特許請求の範囲】
【請求項１】
投射装置から映像が投射されるスクリーン部と、
前記スクリーン部の外縁に沿って設けられ、前記スクリーン部の平面性を保持して支持するためのスクリーン枠部と、を備えたスクリーンであって、
前記スクリーン枠部は、所定の長さを空けて配置された複数の枠部材と、
前記複数の枠部材を連結し、前記スクリーン部を平面性の保持された平面に展開する連結枠と、を有することを特徴とするスクリーン。
【請求項２】
請求項１に記載のスクリーンにおいて、
前記連結枠は、前記枠部材に設けられた中空部へスライド自在に収容され、前記スクリーン枠部を分割または連結する位置に固定部材で固定されることを特徴とするスクリーン。
【請求項３】
請求項１または２に記載のスクリーンにおいて、
前記スクリーン部は、前記複数の枠部材の間で折り畳まれ、折れ部の形状が前記所定の長さで形成された略円弧状であることを特徴とするスクリーン。
【請求項４】
請求項１から３のいずれか一項に記載のスクリーンにおいて、
前記スクリーン部は、前記映像が投射される面側が内側になるように折り畳まれることを特徴とするスクリーン。
【発明の詳細な説明】
【技術分野】
【０００１】
本発明は、折り畳みが可能な構成を有するスクリーンに関する。
【背景技術】
【０００２】
従来、プロジェクタ等から映像が投射されるスクリーンにおいて、携帯性を向上させるために、折り畳みが可能なものが知られている。このスクリーンは、複数のスクリーン片をヒンジテープまたは高伸縮性の伸縮テープで連結した構成であって、これら複数のスクリーン片を展開すれば、大面積のスクリーンとして形成することが可能である。また、大面積のスクリーンを折り畳む場合には、まず、隣り合うスクリーン片を順に折り重ねる。この時、隣り合って直接折り重なるスクリーン片は、ヒンジテープで連結されており、隣り合っていても、他のスクリーン片を挟持した状態で折り畳むスクリーン片は、伸縮テープで連結されている。つまり、伸縮テープで連結されたスクリーン片は、伸縮テープが伸びることにより、それぞれの間にスクリーン片を挟持することが可能である。
【０００３】
このように、複数のスクリーン片をヒンジテープまたは伸縮テープで連結したスクリーンは、展開すれば、大面積スクリーンを形成し、折り畳めば、スクリーン片一枚の大きさになり、プロジェクタ等と共に持ち運び可能な優れた携帯性を有する（例えば特許文献１）。
【０００４】
【特許文献１】特開２００５−１０６９６３号公報
【発明の開示】
【発明が解決しようとする課題】
【０００５】
しかし、従来の技術では、スクリーン片を連結させてスクリーンを構成しているため、スクリーン片の境界部に切れ目があり、投射された映像を視認しにくい場合がある、という課題があった。
【課題を解決するための手段】
【０００６】
本発明は、上記課題の少なくとも一部を解決するためになされたものであり、以下の適用例または形態として実現することが可能である。
【０００７】
［適用例１］本適用例にかかるスクリーンは、投射装置から映像が投射されるスクリーン部と、前記スクリーン部の外縁に沿って設けられ、前記スクリーン部の平面性を保持して支持するためのスクリーン枠部と、を備えたものであって、前記スクリーン枠部は、所定の長さを空けて配置された複数の枠部材と、前記複数の枠部材を連結し、前記スクリーン部を平面性の保持された平面に展開する連結枠と、を有することを特徴とする。
【０００８】
このスクリーンによれば、映像の投射時において、スクリーン部は、所定の長さを空けて配置された複数の枠部材と、複数の枠部材を連結する連結枠により支持されることでネジレやシワ等が生じにくく、平面性を保持した切れ目等のない面を形成することが可能となる。このような平面性を保持したスクリーン部は、映像が投射されると、歪み等がなく鮮明で視認し易い映像を提供することが可能である。そして、投射終了時には、連結枠の連結を解除すれば、スクリーン枠部と共にスクリーン部を折り畳むことができ、スクリーンは、持ち運びが容易な小さなサイズとなり手提げバッグ等へ収容可能となって、目的場所へ自由に持ち運びが可能な高いモバイル性を有している。
【０００９】
［適用例２］上記適用例にかかるスクリーンにおいて、前記連結枠は、前記枠部材に設けられた中空部へスライド自在に収容され、前記スクリーン枠部を分割または連結する位置に固定部材で固定されることが好ましい。
【００１０】
この構成によれば、連結枠は、枠部材に設けられた中空部をスライドする構成であって、中空部から引き出され、隣接する枠部材と連結して折り曲げを規制すると共に、スクリーンの平面性を保持し、連結を解除して中空部へ収容されると、スクリーン枠部の折り曲げを許容する。連結枠は、分割または連結のそれぞれの位置において固定部材で固定されるため、分割位置において、中空部から飛び出て紛失する恐れ等がなく、連結位置において、スクリーン枠部によるスクリーン部の外縁の支持をより強固にすることが可能である。
【００１１】
［適用例３］上記適用例にかかるスクリーンにおいて、前記スクリーン部は、前記複数の枠部材の間で折り畳まれ、折れ部の形状が前記所定の長さで形成された略円弧状であることが好ましい。
【００１２】
この構成によれば、スクリーン部が、折り畳まれる箇所である折れ部は、各枠部材の間の長さである所定の長さを有している。つまり、スクリーン枠部が１８０度折れ曲がっても、折れ部は所定長さの略円弧を形成して折れており、スクリーン部が折り畳まれた状態にあっても、折れ部においては、スクリーン部に折り目がつくような状態で折り畳まれていない。従って、折り畳まれたスクリーン部が平面に展開されると、スクリーン部は、折り目のない平面性を保持した面を有した状態で再現される。これにより、スクリーンは、スクリーン部を折り目のない平面に展開して、常に、鮮明で視認し易い映像を提供することが可能である。さらに、スクリーンが曲げ性の劣るガラス繊維等を含むようなスクリーン部を備えていても、コンパクトに折り畳むことが可能である。
【００１３】
［適用例４］上記適用例にかかるスクリーンにおいて、前記スクリーン部は、前記映像が投射される面側が内側になるように折り畳まれることが好ましい。
【００１４】
この構成によれば、スクリーンを折り畳む作業および保管する際に、スクリーン部の映像が投射される面側が内側に折り畳まれており、映像が投射される面は、取り扱い中や保管中にキズ等の欠陥が生じないよう確実に保護される。このような折り畳み方により、スクリーンは、何度も折り畳まれた後であっても、スクリーン部をキズ等の欠陥から保護し、平面に展開されると、常に、鮮明で視認し易い映像を提供することが可能である。
【発明を実施するための最良の形態】
【００１５】
以下、スクリーンの具体的な実施形態について図面に従って説明する。本実施形態のスクリーンは、コンパクトに折り畳めて持ち運びが容易であり、折り畳み状態からの復元性もあることに特徴を有する。
（実施形態）
【００１６】
図１（ａ）は、本実施形態にかかるスクリーンを映像が投射される表面側から見た斜視図であり、図１（ｂ）は、スクリーンを裏面側から見た斜視図である。図１（ａ）は、映像が投射される状態になっているスクリーン１を示していて、この状態のスクリーン１は、投射装置から映像が投射される長方形のスクリーン生地部（スクリーン部）２と、スクリーン生地部２の４辺をなす外縁に沿って設けられ、スクリーン生地部２の平面性を保持するよう支持しているスクリーン枠部３と、を備えている。そして、スクリーン１は、長辺が左右方向に、また、短辺が上下方向になるように、壁等へ掛けて設置される。この場合、スクリーン１は、スクリーン枠部３が壁等の側に向いて設置されていて、スクリーン生地部２において、スクリーン枠部３と反対側に位置する面が映像の投射される表面２ａである。即ち、スクリーン１へ映像を投射する投射装置は、いわゆるフロントタイプのものである。
【００１７】
スクリーン生地部２を支持するスクリーン枠部３は、図１（ｂ）に示すように、１６個の枠部材で構成され、それらの内、８個の枠部材は、スクリーン生地部２の裏面２ｂの外縁に貼付されている。スクリーン生地部２の外縁に貼付されている枠部材は、外縁角部の形状に沿ったＬ字形状をなし、スクリーン生地部２の４箇所の角部にそれぞれ配置され、上部側に位置する角部枠３１，３２、および下部側に位置する角部枠３３，３４と、直線状をなし角部枠３１と角部枠３２との間に配置された中間枠３５と、角部枠３３と角部枠３４との間に配置された中間枠３６と、角部枠３１と角部枠３４との間に配置された中間枠３７と、角部枠３２と角部枠３３との間に配置された中間枠３８と、である。
【００１８】
また、角部枠３１，３２，３３，３４と中間枠３５，３６，３７，３８とのそれぞれの間は、所定の長さだけ切り欠いたように離反している。これら離反した部分には、連結枠３９が配置され、連結枠３９は、角部枠３１，３２，３３，３４と中間枠３５，３６，３７，３８とをそれぞれ連結するように、組み立てボルト（固定部材）４（図１（ａ））によって固定されている。この組み立てボルト４は、頭部が六角形のものである。なお、離反した部分は、スクリーン生地部２の長辺および短辺をほぼ均等に３分割する位置に設けられている。また、スクリーン生地部２は、この場合、塩化ビニール樹脂で形成された１枚の生地であって、表面２ａには、光を拡散反射するマットタイプのエンボス加工がなされている。これにより、スクリーン１は、どの位置から見てもほぼ同等の明るさの映像を提供することができる。
【００１９】
次に、スクリーン枠部３の詳細について説明する。図２は、スクリーン枠部の詳細な構成を示す斜視図である。スクリーン枠部３は、いずれも、外形が四角形の棒状であって、内部に外形と相似形の中空部３０を有している。図２は、スクリーン枠部３の内、角部枠３１と、角部枠３１へ連結枠３９によって連結される中間枠３５および中間枠３７と、を示している。また、連結枠３９の外形は、角部枠３１および中間枠３５，３７のそれぞれの中空部３０へスライドして収容されるサイズである。
【００２０】
そして、スクリーン枠部３を構成する各枠部材には、中間枠３７に示されているように、組み立てボルト４がスクリーン生地部２と略平行に中間枠３７を貫通するためのボルト孔６、および、組み立てボルト４のねじ部４ａと螺合するねじ孔５が設けられている。ボルト孔６とねじ孔５とは、中間枠３７の両端部にそれぞれ一対となって設けられていて、ボルト孔６はスクリーン１の外部方向側に、また、ねじ孔５はスクリーン１の内部方向側に設けられている。同様に、ボルト孔６とねじ孔５とは、角部枠３２，３３，３４および中間枠３５，３６，３８および各連結枠３９の両端部に設けられている。
【００２１】
図２において、角部枠３１と中間枠３５とは、連結枠３９を介して組み立てボルト４によって連結された状態を示しており、角部枠３１と中間枠３７とは、連結枠３９が角部枠３１の中空部３０へ収容されていて、連結されていない状態を示している。つまり、角部枠３１と中間枠３７との間には、双方を切り欠いたように離反させた部分である切り欠き部７が生じている。この切り欠き部７が生じることにより、角部枠３１と中間枠３７とは、切り欠き部７で折り曲げ可能となり、スクリーン生地部２を折り畳むことができる。なお、角部枠３１の中空部３０へ収容された連結枠３９を、組み立てボルト４によって角部枠３１へ固定すれば、角部枠３１の中空部３０から抜け落ちることがなく、スクリーン生地部２の折り畳みがスムーズに行える。
【００２２】
このように、連結枠３９を角部枠３１へ収容すれば、角部枠３１と中間枠３７との切り欠き部７での折り曲げを可能にして、スクリーン生地部２を折り畳むことができ、連結枠３９によって角部枠３１と中間枠３７とを連結すれば、角部枠３１と中間枠３７との折り曲げを規制して、スクリーン生地部２を平面に展開することができる。なお、角部枠３２，３３，３４の部分においても、角部枠３１の部分と同様に機能する。
【００２３】
次に、映像が投射される状態である図１に示すスクリーン１を折り畳む手順について説明する。図３（ａ）は、切り欠き部が形成されたスクリーンを示す斜視図、図３（ｂ）は、スクリーンの長辺方向を折り畳んだ状態を示す斜視図である。また、図３（ｃ）は、スクリーンの短辺方向を折り畳む最初の手順を示す斜視図、図３（ｄ）は、スクリーンの短辺方向を折り畳んだ状態を示す斜視図である。図３では、折り畳んだスクリーン生地部２およびスクリーン枠部３との位置関係を分かり易くするため、それぞれを密着させずに若干離反させて描いてある。また、組み立てボルト４、ねじ孔５およびボルト孔６は、適宜省略して描いてある。
【００２４】
最初に、図３（ａ）に示すように、８本の連結枠３９（図１（ｂ））を角部枠３１，３２，３３，３４の中空部３０（図２）へ収容する。即ち、図２に示す角部枠３１と中間枠３７とを連結するための連結枠３９は、連結枠３９の両端部を角部枠３１または中間枠３７へ固定していた組み立てボルト４が取り外され、角部枠３１の中空部３０へスライド移動して収容される。他の７本の連結枠３９も同様にして、角部枠３１，３２，３３，３４のいずれかへそれぞれ収容される。これにより、角部枠３１，３２，３３，３４と中間枠３５，３６，３７，３８との間は、連結枠３９に替わって、８つの切り欠き部７となる。切り欠き部７は、スクリーン生地部２の長辺および短辺をほぼ３分割するように、２箇所ずつ形成されており、スクリーン生地部２は、向かい合う長辺同士または短辺同士に設けられた切り欠き部７を結ぶ線に沿って折り畳むことができる。これらの線は、向かい合う短辺にそれぞれ設けられた切り欠き部７を結ぶ折り畳み線２１および折り畳み線２２と、向かい合う長辺にそれぞれ設けられた切り欠き部７を結ぶ折り畳み線２３および折り畳み線２４と、である。
【００２５】
そして、連結枠３９に替えて切り欠き部７を形成した後、折り畳み線２３および折り畳み線２４に沿ってスクリーン１を順に折り畳む。詳しくは、図３（ｂ）に示すように、まず、角部枠３２と中間枠３５との間の切り欠き部７を折り曲げ、同時に、角部枠３３と中間枠３６との間の切り欠き部７を折り曲げることにより、折り畳み線２３に沿ってスクリーン生地部２を折り畳む。このとき、スクリーン生地部２は、表面２ａの側同士が対向して内側に重なるように折り畳まれる。このようにスクリーン生地部２を折り畳めば、折り畳み操作中には、スクリーン生地部２の裏面２ｂに触れることになり、表面２ａにキズ等をつける恐れがほとんどない。
【００２６】
さらに、スクリーン生地部２が折り畳み線２３に沿って折り畳まれる折れ部８は、角部枠３２と中間枠３５との間、および、角部枠３３と中間枠３６との間の切り欠き部７がそれぞれ有する所定の長さで形成された略円弧状をなすことができる。このように、折れ部８が角部枠３２，３３と中間枠３５，３６に規制されずに略円弧状をなしていれば、折れ部８において、スクリーン生地部２の表面２ａが対向して完全に密着し、折り畳み線２３に沿って折り目がついてしまうことを回避できる。
【００２７】
そして、折り畳み線２４（図３（ａ））に沿ってスクリーン生地部２を折り畳む場合、スクリーン生地部２は、角部枠３１と中間枠３５との間、および、角部枠３４と中間枠３６との間の切り欠き部７がそれぞれ所定の長さを有することにより、角部枠３２，３３等を間に挟んで略円弧状を描きつつ、表面２ａを内側にして折り畳むことができる。これら２回の折り畳みにより、スクリーン生地部２の表面２ａは、すべて内側へ折り畳まれ、以降、外的要因によりキズ等がつくことから保護される。以上でスクリーン１の長辺方向の折り畳みが終了し、この時点でスクリーン１の大きさは、１／３になっている。
【００２８】
次に、スクリーン１の短辺方向の折り畳みについて、図３（ｃ）、図３（ｄ）を参照して説明する。短辺方向の折り畳みは、まず、図３（ｃ）に示すように、角部枠３１が中間枠３７と対向して面する方向へ、スクリーン生地部２を折り畳み線２１に沿って曲げて行き、角部枠３１と中間枠３７とを密着させて折り畳む。この時、折り畳み線２１における折れ部８は、角部枠３１と中間枠３７との間に形成された切り欠き部７の有する所定の長さで、略円弧状をなしている。また、折り畳み線２１における折れ部８では、スクリーン生地部２が３重に折り重なっており、当該折れ部８をさらに折り曲げる外力が付与されても、略円弧状の形状を維持することができ、略円弧状部が潰されてスクリーン生地部２に折り目がつくような事態を回避できる。
【００２９】
折り畳み線２１に沿った折り畳みの終了後、図３（ｄ）に示すように、折り畳み線２２に沿ってスクリーン生地部２を曲げる。スクリーン生地部２を曲げる方向は、中間枠３６が曲げの内側となるように行う。この時、折り畳み線２２における折れ部８は、角部枠３４と中間枠３７との間に形成された切り欠き部７の有する所定の長さで、折り畳み線２１における折れ部８とほぼ同様な略円弧状をなしている。従って、折り畳み線２２における折れ部８においても、外力により略円弧状部が潰されて、スクリーン生地部２に折り目がつくようなことがほとんどない。
【００３０】
このように、各折り畳み線２１，２２，２３，２４に沿って、スクリーン生地部２が折り畳まれたスクリーン１は、図３（ａ）に示す最大の平面に展開した場合に比べて、平面の大きさが約１／９になっている。そして、折り畳まれた状態のスクリーン生地部２において、その外周となる部分には、角部枠３１，３２，３３，３４および中間枠３５，３６，３７，３８が位置している。そのため、スクリーン１は、さらにスクリーン１を曲げようとする外力等が作用しても、それに抗する強度があり、折り畳み状態を安定して維持できる。
【００３１】
以上説明したように、図３（ａ）から図３（ｄ）に示す順に折り畳まれたスクリーン１は、折り畳まれて平面の大きさが小さくなっただけでなく、スクリーン生地部２に折り目をつけることなく折り畳み厚も薄くなっている。図４は、折り畳みが完了したスクリーンを示す斜視図である。図４に示すように、スクリーン１は、小さくなった平面を底面とすれば、高さ方向を折り畳み厚とする略直方体の形状に折り畳まれている。この形状であれば、例えば、携帯用の鞄１０にスクリーン１を収容して、容易に持ち運ぶことができる。
【００３２】
この場合、既述したように、折り畳まれたスクリーン１の外周となる部分には、角部枠３１，３２，３３，３４および中間枠３５，３６，３７，３８が位置しているため、鞄１０が持ち運ばれて、収容されているスクリーン１の姿勢が変わっても、スクリーン１の折り畳み状態は、ほとんど崩れることなく、収容された時点の形態を維持している。これにより、平面に展開すれば鮮明な映像が得られるスクリーン１を投射装置と共に自在に持ち運ぶことができ、スクリーン設備のない場所においても、鮮明な映像を得ることができる。
【００３３】
以下、実施形態の主な効果をまとめて記載する。
【００３４】
スクリーン１は、枠部材３１−３８が連結枠３９で連結されたスクリーン枠部３によってスクリーン生地部２を平面に展開し、一方、連結枠３９の連結を解除して切り欠き部７で折り曲げて、スクリーン生地部２を折り畳むことができる。このように、スクリーン１は、枠部材３１−３８の連結を許容または規制して、スクリーン生地部２を平面へ展開して映像の投射を可能にすることと、スクリーン生地部２を折り畳んで持ち運ぶことと、が容易に行える。
【００３５】
また、折り畳まれたスクリーン生地部２の折れ部８は、切り欠き部７の有する所定長さの略円弧を形成して折れており、スクリーン部に折り目がつくような状態で折り畳まれていない。従って、折り畳まれたスクリーン生地部２が平面へ展開されると、スクリーン生地部２は、折り目等のない平面性を保持した面に再現される。これにより、スクリーン１は、折り目等による歪みのない視認し易い映像を提供できる。
【００３６】
そして、スクリーン１を折り畳む時、スクリーン生地部２は、映像が投射される表面２ａを内側にして折り畳まれる。これにより、スクリーン１の取り扱い中や保管中に、スクリーン生地部２の表面２ａへキズ等の欠陥が生じないよう、確実に保護することが可能である。
【００３７】
また、スクリーン１は上記の実施形態に限定されるものではなく、次に挙げる変形例のような形態であっても、実施形態と同様な効果が得られる。
【００３８】
スクリーン１のスクリーン生地部２は、塩化ビニール製に限定されるものではなく、布製、紙製等であっても良く、また、ガラス繊維で補強されたものやレンチキュラーレンズ等を配置した構成のもの等であっても良い。これにより、スクリーン１は、スクリーン生地部２に種々の材種を用いることができ、用途に合わせて幅広い品揃えが可能である。
【００３９】
連結枠３９を枠部材３１−３８へ取り付けるための組み立てボルト４は、頭部が六角のボルトに限定されることなく、工具無しで締め付け等の操作が行える蝶ねじを有するものであっても良い。さらに、ねじ部４ａが螺合するスクリーン枠部３のねじ孔５は、ねじ溝のない貫通孔であっても良く、この場合、ねじ部４ａと螺合するナットを有する構成となる。
【００４０】
また、連結枠３９は、枠部材３１−３８の中空部３０へスライド移動する構成であるが、スクリーン枠部３として固定された連結枠３９が折れ曲がり可能な機構を有した構成であっても良い。組み立てボルト４を用いずにスクリーン枠部３の折り曲げの許容および規制ができ、操作がより簡単になる。
【００４１】
そして、スクリーン枠部３は、断面形状が四角形の角状であるが、四角形以外の角状や円弧状等の形状であっても良い。スクリーン１の大きさや用途に応じて、最適な形状を選定することができる。
【００４２】
スクリーン１の折り畳みは、図３（ａ）から図３（ｄ）に示す順に、折り畳み線２１，２２，２３，２４に沿って、表面２ａを内側にして折り畳むことに限定せず、他の折り曲げ順や表面２ａを内側にせずに折り畳んでも良い。こうして折り畳んでも、図４に示すように、鞄１０へ収容して持ち運ぶことができる。また、スクリーン生地部２を９分割して折り畳んでいるが、４分割や６分割等に分割して折り畳む構成であっても良い。
【００４３】
さらに、スクリーン枠部３のねじ孔５およびボルト孔６を、長孔の貫通口にして、連結枠３９の固定位置を調整できるようにしても良い。この構成によれば、連結枠３９が設けられる切り欠き部７の長さを微調整でき、スクリーン生地部２の張り具合を調整することができる。この場合、組み立てボルト４のねじ部４ａは、ナットと螺合する構成となる。
【００４４】
また、折り畳み可能なスクリーン１は、フロントタイプの投射装置用のものであるが、この用途に限定されるものではなく、リアタイプの投射装置用に対応した透過型スクリーンであっても良い。
【図面の簡単な説明】
【００４５】
【図１】（ａ）本実施形態にかかるスクリーンを映像が投射される表面側から見た斜視図、（ｂ）スクリーンを裏面側から見た斜視図。
【図２】スクリーン枠部の詳細な構成を示す斜視図。
【図３】（ａ）切り欠き部が形成されたスクリーンを示す斜視図、（ｂ）スクリーンの長辺方向を折り畳んだ状態を示す斜視図、（ｃ）スクリーンの短辺方向を折り畳む最初の手順を示す斜視図、（ｄ）スクリーンの短辺方向を折り畳んだ状態を示す斜視図。
【図４】折り畳みが完了したスクリーンを示す斜視図。
【符号の説明】
【００４６】
１…スクリーン、２…スクリーン生地部、３…スクリーン枠部、４…組み立てボルト、４ａ…ねじ部、５…ねじ孔、６…ボルト孔、７…切り欠き部、８…折れ部、２１，２２，２３，２４…折り畳み線、３０…中空部、３１，３２，３３，３４…角部枠、３５，３６，３７，３８…中間枠、３９…連結枠。
【図１】
2009168881.tif 000003
【図２】
2009168881.tif 000004
【図３】
2009168881.tif 000005
【図４】
2009168881.tif 000006